(57)【要約】【課題】視聴対象となる番組放送の終了時刻までの視聴を可能とするように電力制御を行う通信端末装置を提供する。【解決手段】通信端末装置は、視聴対象となる番組放送の終了時刻までの期間を計測する。また、通信端末装置の電源の電力残量を計測する。そして、上記計測した電力残量を視聴対象となる番組放送の終了時刻までの期間まで維持するように通信端末装置の電力抑制を行う。【選択図】図１
2008177778.tif 000002
【特許請求の範囲】
【請求項１】
番組放送が視聴可能な通信端末装置であって、
視聴対象となる番組放送の終了時刻までの期間を計測する期間計測手段と、
前記通信端末装置の電源の電力残量を計測する残量計測手段と、
前記電力残量を前記期間まで維持するように前記通信端末装置の電力抑制を行う制御手段と、を有することを特徴とする通信端末装置。
【請求項２】
前記期間までに必要となる電力量を推定する推定手段を有し、
前記制御手段は、
前記電力残量が前記電力量を満たしていない場合に、前記電力抑制を行うことを特徴とする請求項１記載の通信端末装置。
【請求項３】
前記制御手段は、
前記電力残量が前記電力量を満たしていない場合に、前記電源の充電要求を促し、前記電源の充電が行われない場合に、前記電力抑制を行うことを特徴とする請求項２記載の通信端末装置。
【請求項４】
前記残量計測手段は、所定期間毎に、前記電力残量の計測を行い、
前記制御手段は、前記所定期間毎に計測した前記電力残量を基に、前記電力抑制を行うことを特徴とする請求項１から３の何れか１項に記載の通信端末装置。
【請求項５】
前記電力抑制は、
前記通信端末装置の画面表示の照度を低減する制御と、
前記通信端末装置の携帯電話通信制御を一定間隔、または、前記期間まで停止する制御と、
前記番組放送中に音声のみを出力する制御と、
前記番組放送中に映像のみを出力する制御と、
前記番組放送中の映像の画質を低減する制御と、の少なくとも１つであることを特徴とする請求項１から４の何れか１項に記載の通信端末装置。
【請求項６】
前記制御手段は、
前記電力抑制を行っても、前記電力残量が前記電力量を満たしていない場合には、前記番組放送の視聴を停止し、前記番組放送の録画処理を行うことを特徴とする請求項２から５の何れか１項に記載の通信端末装置。
【請求項７】
前記制御手段は、
前記電力抑制を行っても、前記電力残量が前記電力量を満たしていない場合に、前記番組放送の録画処理を行うか否かを促し、前記番組放送の録画処理要求が行われた場合に、前記番組放送の録画処理を行うことを特徴とする請求項６記載の通信端末装置。
【請求項８】
前記期間計測手段は、前記番組放送の視聴操作が行われた場合には、前記番組放送の開始時刻から終了時刻までの期間を計測することを特徴とする請求項１記載の通信端末装置。
【請求項９】
前記期間計測手段は、前記番組放送の視聴予約操作が行われた場合には、前記番組放送の開始時刻までの第１期間と、前記番組放送の開始時刻から終了時刻までの第２の期間と、を加算した期間を計測することを特徴とする請求項１記載の通信端末装置。
【請求項１０】
番組放送が視聴可能な通信端末装置で行う電力制御方法であって、
視聴対象となる番組放送の終了時刻までの期間を計測する期間計測工程と、
前記通信端末装置の電源の電力残量を計測する残量計測工程と、
前記電力残量を前記期間まで維持するように前記通信端末装置の電力抑制を行う制御工程と、を、前記通信端末装置が行うことを特徴とする電力制御方法。
【請求項１１】
前記期間までに必要となる電力量を推定する推定工程を、前記通信端末装置が行い、
前記制御工程は、
前記電力残量が前記電力量を満たしていない場合に、前記電力抑制を行うことを特徴とする請求項１０記載の電力制御方法。
【請求項１２】
前記制御工程は、
前記電力残量が前記電力量を満たしていない場合に、前記電源の充電要求を促し、前記電源の充電が行われない場合に、前記電力抑制を行うことを特徴とする請求項１１記載の電力制御方法。
【請求項１３】
前記残量計測工程は、所定期間毎に、前記電力残量の計測を行い、
前記制御工程は、前記所定期間毎に計測した前記電力残量を基に、前記電力抑制を行うことを特徴とする請求項１０から１２の何れか１項に記載の電力制御方法。
【請求項１４】
前記電力抑制は、
前記通信端末装置の画面表示の照度を低減する制御と、
前記通信端末装置の携帯電話通信制御を一定間隔、または、前記期間まで停止する制御と、
前記番組放送中に音声のみを出力する制御と、
前記番組放送中に映像のみを出力する制御と、
前記番組放送中の映像の画質を低減する制御と、の少なくとも１つであることを特徴とする請求項１０から１３の何れか１項に記載の電力制御方法。
【請求項１５】
前記制御工程は、
前記電力抑制を行っても、前記電力残量が前記電力量を満たしていない場合には、前記番組放送の視聴を停止し、前記番組放送の録画処理を行うことを特徴とする請求項１１から１４の何れか１項に記載の電力制御方法。
【請求項１６】
前記制御工程は、
前記電力抑制を行っても、前記電力残量が前記電力量を満たしていない場合に、前記番組放送の録画処理を行うか否かを促し、前記番組放送の録画処理要求が行われた場合に、前記番組放送の録画処理を行うことを特徴とする請求項１５記載の電力制御方法。
【請求項１７】
前記期間計測工程は、前記番組放送の視聴操作が行われた場合には、前記番組放送の開始時刻から終了時刻までの期間を計測することを特徴とする請求項１０記載の電力制御方法。
【請求項１８】
前記期間計測工程は、前記番組放送の視聴予約操作が行われた場合には、前記番組放送の開始時刻までの第１期間と、前記番組放送の開始時刻から終了時刻までの第２の期間と、を加算した期間を計測することを特徴とする請求項１０記載の電力制御方法。
【請求項１９】
番組放送が視聴可能な通信端末装置で実行させる電力制御プログラムであって、
視聴対象となる番組放送の終了時刻までの期間を計測する期間計測処理と、
前記通信端末装置の電源の電力残量を計測する残量計測処理と、
前記電力残量を前記期間まで維持するように前記通信端末装置の電力抑制を行う制御処理と、を、前記通信端末装置に実行させることを特徴とする電力制御プログラム。
【請求項２０】
前記期間までに必要となる電力量を推定する推定処理を、前記通信端末装置に実行させ、
前記制御処理は、
前記電力残量が前記電力量を満たしていない場合に、前記電力抑制を行うことを特徴とする請求項１９記載の電力制御プログラム。
【請求項２１】
前記制御処理は、
前記電力残量が前記電力量を満たしていない場合に、前記電源の充電要求を促し、前記電源の充電が行われない場合に、前記電力抑制を行うことを特徴とする請求項２０記載の電力制御プログラム。
【請求項２２】
前記残量計測処理は、所定期間毎に、前記電力残量の計測を行い、
前記制御処理は、前記所定期間毎に計測した前記電力残量を基に、前記電力抑制を行うことを特徴とする請求項１９から２１の何れか１項に記載の電力制御プログラム。
【請求項２３】
前記電力抑制は、
前記通信端末装置の画面表示の照度を低減する制御と、
前記通信端末装置の携帯電話通信制御を一定間隔、または、前記期間まで停止する制御と、
前記番組放送中に音声のみを出力する制御と、
前記番組放送中に映像のみを出力する制御と、
前記番組放送中の映像の画質を低減する制御と、の少なくとも１つであることを特徴とする請求項１９から２２の何れか１項に記載の電力制御プログラム。
【請求項２４】
前記制御処理は、
前記電力抑制を行っても、前記電力残量が前記電力量を満たしていない場合には、前記番組放送の視聴を停止し、前記番組放送の録画処理を行うことを特徴とする請求項２０から２３の何れか１項に記載の電力制御プログラム。
【請求項２５】
前記制御処理は、
前記電力抑制を行っても、前記電力残量が前記電力量を満たしていない場合に、前記番組放送の録画処理を行うか否かを促し、前記番組放送の録画処理要求が行われた場合に、前記番組放送の録画処理を行うことを特徴とする請求項２４記載の電力制御プログラム。
【請求項２６】
前記期間計測処理は、前記番組放送の視聴操作が行われた場合には、前記番組放送の開始時刻から終了時刻までの期間を計測することを特徴とする請求項１９記載の電力制御プログラム。
【請求項２７】
前記期間計測処理は、前記番組放送の視聴予約操作が行われた場合には、前記番組放送の開始時刻までの第１期間と、前記番組放送の開始時刻から終了時刻までの第２の期間と、を加算した期間を計測することを特徴とする請求項１９記載の電力制御プログラム。
【発明の詳細な説明】
【技術分野】
【０００１】
本発明は、携帯電話機やＰＣ等の通信端末装置に関し、特に、視聴対象となる番組放送の終了時刻までの視聴を可能とするように電力制御を行う通信端末装置、電力制御方法及び電力制御プログラムに関するものである。
【背景技術】
【０００２】
近年、携帯電話機等の通信端末装置は、多機能化・小型化が進み、通信端末装置に内蔵されている電源の負荷が高くなる一方である。その上、ラジオやアナログ／デジタルテレビ放送の受信機能が組み込まれている通信端末装置では、電源の消費量が更に高くなり、省電力化を図るための仕組みが重要視されることになる。
【０００３】
なお、本発明より先に出願された技術文献として、映像音声信号の記録機能を有する携帯通信端末において、予約情報に基づく映像音声信号の記録を実行する前に、端末自身の状態を報知することができる携帯通信端末について開示された文献がある（例えば、特許文献１参照）。
【０００４】
また、情報処理途中でのバッテリ切れによる電源発生を未然に防止できるバッテリ駆動式情報処理端末について開示された文献がある（例えば、特許文献２参照）。
【０００５】
また、バックライトの点灯および消灯を制御し、消費電力を低減することが可能な携帯電話機について開示された文献がある（例えば、特許文献３参照）。
【特許文献１】特開２００５−２３６８９０号公報
【特許文献２】特開２００６−１５７１４７号公報
【特許文献３】特開２００６−２２９７３６号公報
【発明の開示】
【発明が解決しようとする課題】
【０００６】
しかしながら、上記特許文献１〜３には、視聴対象となる番組放送の終了時刻までの視聴を可能とするように電力制御を行う点については何ら記載もその必要性についても示唆されていない。
【０００７】
本発明は、上記事情に鑑みてなされたものであり、視聴対象となる番組放送の終了時刻までの視聴を可能とするように電力制御を行う通信端末装置、電力制御方法及び電力制御プログラムを提供することを目的とするものである。
【課題を解決するための手段】
【０００８】
かかる目的を達成するために、本発明は、以下の特徴を有することとする。
【０００９】
本発明にかかる通信端末装置は、番組放送が視聴可能な通信端末装置であって、視聴対象となる番組放送の終了時刻までの期間を計測する期間計測手段と、通信端末装置の電源の電力残量を計測する残量計測手段と、電力残量を期間まで維持するように通信端末装置の電力抑制を行う制御手段と、を有することを特徴とする。
【００１０】
また、本発明にかかる通信端末装置は、期間までに必要となる電力量を推定する推定手段を有し、制御手段は、電力残量が電力量を満たしていない場合に、電力抑制を行うことを特徴とする。
【００１１】
また、本発明にかかる通信端末装置において、制御手段は、電力残量が電力量を満たしていない場合に、電源の充電要求を促し、電源の充電が行われない場合に、電力抑制を行うことを特徴とする。
【００１２】
また、本発明にかかる通信端末装置において、残量計測手段は、所定期間毎に、電力残量の計測を行い、制御手段は、所定期間毎に計測した電力残量を基に、電力抑制を行うことを特徴とする。
【００１３】
また、本発明にかかる通信端末装置において、電力抑制は、通信端末装置の画面表示の照度を低減する制御と、通信端末装置の携帯電話通信制御を一定間隔、または、期間まで停止する制御と、番組放送中に音声のみを出力する制御と、番組放送中に映像のみを出力する制御と、番組放送中の映像の画質を低減する制御と、の少なくとも１つであることを特徴とする。
【００１４】
また、本発明にかかる通信端末装置において、制御手段は、電力抑制を行っても、電力残量が電力量を満たしていない場合には、番組放送の視聴を停止し、番組放送の録画処理を行うことを特徴とする。
【００１５】
また、本発明にかかる通信端末装置において、制御手段は、電力抑制を行っても、電力残量が電力量を満たしていない場合に、番組放送の録画処理を行うか否かを促し、番組放送の録画処理要求が行われた場合に、番組放送の録画処理を行うことを特徴とする。
【００１６】
また、本発明にかかる通信端末装置において、期間計測手段は、番組放送の視聴操作が行われた場合には、番組放送の開始時刻から終了時刻までの期間を計測することを特徴とする。
【００１７】
また、本発明にかかる通信端末装置において、期間計測手段は、番組放送の視聴予約操作が行われた場合には、番組放送の開始時刻までの第１期間と、番組放送の開始時刻から終了時刻までの第２の期間と、を加算した期間を計測することを特徴とする。
【００１８】
また、本発明にかかる電力制御方法は、番組放送が視聴可能な通信端末装置で行う電力制御方法であって、視聴対象となる番組放送の終了時刻までの期間を計測する期間計測工程と、通信端末装置の電源の電力残量を計測する残量計測工程と、電力残量を期間まで維持するように通信端末装置の電力抑制を行う制御工程と、を、通信端末装置が行うことを特徴とする。
【００１９】
また、本発明にかかる電力制御方法は、期間までに必要となる電力量を推定する推定工程を、通信端末装置が行い、制御工程は、電力残量が電力量を満たしていない場合に、電力抑制を行うことを特徴とする。
【００２０】
また、本発明にかかる電力制御方法において、制御工程は、電力残量が電力量を満たしていない場合に、電源の充電要求を促し、電源の充電が行われない場合に、電力抑制を行うことを特徴とする。
【００２１】
また、本発明にかかる電力制御方法において、残量計測工程は、所定期間毎に、電力残量の計測を行い、制御工程は、所定期間毎に計測した電力残量を基に、電力抑制を行うことを特徴とする。
【００２２】
また、本発明にかかる電力制御方法において、電力抑制は、通信端末装置の画面表示の照度を低減する制御と、通信端末装置の携帯電話通信制御を一定間隔、または、期間まで停止する制御と、番組放送中に音声のみを出力する制御と、番組放送中に映像のみを出力する制御と、番組放送中の映像の画質を低減する制御と、の少なくとも１つであることを特徴とする。
【００２３】
また、本発明にかかる電力制御方法において、制御工程は、電力抑制を行っても、電力残量が電力量を満たしていない場合には、番組放送の視聴を停止し、番組放送の録画処理を行うことを特徴とする。
【００２４】
また、本発明にかかる電力制御方法において、制御工程は、電力抑制を行っても、電力残量が電力量を満たしていない場合に、番組放送の録画処理を行うか否かを促し、番組放送の録画処理要求が行われた場合に、番組放送の録画処理を行うことを特徴とする。
【００２５】
また、本発明にかかる電力制御方法において、期間計測工程は、番組放送の視聴操作が行われた場合には、番組放送の開始時刻から終了時刻までの期間を計測することを特徴とする。
【００２６】
また、本発明にかかる電力制御方法において、期間計測工程は、番組放送の視聴予約操作が行われた場合には、番組放送の開始時刻までの第１期間と、番組放送の開始時刻から終了時刻までの第２の期間と、を加算した期間を計測することを特徴とする。
【００２７】
また、本発明にかかる電力制御プログラムは、番組放送が視聴可能な通信端末装置で実行させる電力制御プログラムであって、視聴対象となる番組放送の終了時刻までの期間を計測する期間計測処理と、通信端末装置の電源の電力残量を計測する残量計測処理と、電力残量を期間まで維持するように通信端末装置の電力抑制を行う制御処理と、を、通信端末装置に実行させることを特徴とする。
【００２８】
また、本発明にかかる電力制御プログラムは、期間までに必要となる電力量を推定する推定処理を、通信端末装置に実行させ、制御処理は、電力残量が電力量を満たしていない場合に、電力抑制を行うことを特徴とする。
【００２９】
また、本発明にかかる電力制御プログラムにおいて、制御処理は、電力残量が電力量を満たしていない場合に、電源の充電要求を促し、電源の充電が行われない場合に、電力抑制を行うことを特徴とする。
【００３０】
また、本発明にかかる電力制御プログラムにおいて、残量計測処理は、所定期間毎に、電力残量の計測を行い、制御処理は、所定期間毎に計測した電力残量を基に、電力抑制を行うことを特徴とする。
【００３１】
また、本発明にかかる電力制御プログラムにおいて、電力抑制は、通信端末装置の画面表示の照度を低減する制御と、通信端末装置の携帯電話通信制御を一定間隔、または、期間まで停止する制御と、番組放送中に音声のみを出力する制御と、番組放送中に映像のみを出力する制御と、番組放送中の映像の画質を低減する制御と、の少なくとも１つであることを特徴とする。
【００３２】
また、本発明にかかる電力制御プログラムにおいて、制御処理は、電力抑制を行っても、電力残量が電力量を満たしていない場合には、番組放送の視聴を停止し、番組放送の録画処理を行うことを特徴とする。
【００３３】
また、本発明にかかる電力制御プログラムにおいて、制御処理は、電力抑制を行っても、電力残量が電力量を満たしていない場合に、番組放送の録画処理を行うか否かを促し、番組放送の録画処理要求が行われた場合に、番組放送の録画処理を行うことを特徴とする。
【００３４】
また、本発明にかかる電力制御プログラムにおいて、期間計測処理は、番組放送の視聴操作が行われた場合には、番組放送の開始時刻から終了時刻までの期間を計測することを特徴とする。
【００３５】
また、本発明にかかる電力制御プログラムにおいて、期間計測処理は、番組放送の視聴予約操作が行われた場合には、番組放送の開始時刻までの第１期間と、番組放送の開始時刻から終了時刻までの第２の期間と、を加算した期間を計測することを特徴とする。
【発明の効果】
【００３６】
本発明によれば、視聴対象となる番組放送の終了時刻までの視聴を行うことが可能となる。
【発明を実施するための最良の形態】
【００３７】
まず、図１を参照しながら、本実施形態の通信端末装置の特徴について説明する。
【００３８】
本実施形態における通信端末装置は、番組放送が視聴可能な通信端末装置である。
【００３９】
なお、本実施形態における通信端末装置は、視聴対象となる番組放送の終了時刻までの期間を計測する。また、通信端末装置の電源の電力残量を計測する。
【００４０】
そして、通信端末装置は、上記計測した電力残量を視聴対象となる番組放送の終了時刻までの期間まで維持するように通信端末装置の電力抑制を行う。
【００４１】
これにより、通信端末装置は、視聴対象となる番組放送の終了時刻までの視聴を可能とするように電力制御を行い、視聴対象となる番組放送の終了時刻までの視聴を行うことが可能となる。以下、添付図面を参照しながら、本実施形態の通信端末装置について詳細に説明する。
【００４２】
＜通信端末装置の内部構成＞
まず、図１を参照しながら、本実施形態の通信端末装置の構成について詳細に説明する。
【００４３】
本実施形態における通信端末装置は、放送波の受信／視聴機能を搭載した通信端末装置であり、図１に示すように、端末状態制御部（１）と、電源供給部（２）と、携帯電話網通信制御部（３）と、放送波受信制御部（４）と、表示部（５）と、制御部（６）と、メインメモリ（７）と、記憶部（８）と、外部記憶部（９）と、を有して構成している。
【００４４】
端末状態制御部（１）は、電源供給部（２）及び通信端末装置内の各部の電力制御を行うものである。
【００４５】
電源供給部（２）は、通信端末装置の電源を供給するものである。なお、電源供給部（２）は、通信端末装置の電源供給となるものであれば特に限定するものではなく、あらゆるものが適用可能である。
【００４６】
携帯電話網通信制御部（３）は、アンテナ部（３１）を介して携帯電話会社が提供する携帯電話通信網と通信を行うものである。
【００４７】
放送波受信制御部（４）は、アンテナ部（４１）を介して番組放送会社が提供する番組放送の受信を行うものである。
【００４８】
表示部（５）は、各種情報を表示するものであり、本実施形態では、放送波受信制御部（４）により受信した番組放送等を表示したりすることになる。
【００４９】
制御部（６）は、通信端末装置を構成する各部を制御するものである。
【００５０】
メインメモリ（７）は、一時的なデータを格納するものである。
【００５１】
記憶部（８）は、各種情報を格納するものであり、通信端末装置への電源供給状態に関わらず情報を保持することが可能な不揮発性の記憶部である。なお、記憶部（８）は、制御プログラム（１０）や設定内容（１１）を保持することになる。なお、制御プログラム（１０）は、本実施形態の電力制御を行うためのプログラムである。また、設定内容（１１）は、電力制御を行う際に使用する設定情報である。なお、設定情報（１１）は、通信端末装置の利用者が、通信端末装置を操作して任意に設定することで生成することになる。
【００５２】
外部記憶部（９）は、各種情報を格納するものであり、通信端末装置と着脱可能なものである。なお、外部記憶部（９）は、情報を格納することが可能なものであれば、あらゆるものが適用可能である。
【００５３】
＜通信端末装置における電力制御方法＞
次に、図２〜図４を参照しながら、本実施形態の通信端末装置における電力制御について説明する。
【００５４】
まず、通信端末装置の利用者が通信端末装置を操作し、番組放送の視聴操作を行った場合（ステップＳ１）、制御部（６）は、記憶部（８）から制御プログラム（１０）を読み出し、該読み出した制御プログラム（１０）をメインメモリ（７）に格納する。そして、制御部（６）は、メインメモリ（７）に格納した制御プログラム（１０）を用いて以下の一連の処理を行うことになる。
【００５５】
まず、制御部（６）は、放送波受信制御部（４）を制御し、地上波放送を受信し、該受信した地上波放送を表示部（５）に表示する（ステップＳ２、３）。
【００５６】
また、制御部（６）は、端末状態制御部（１）を制御し、電源供給部（２）の電力残量を計測する（ステップＳ４）。
【００５７】
また、制御部（６）は、携帯電話通信網への接続が可能な状態であれば、携帯電話網通信制御部（３）を制御し、インターネット網より電子番組表（ＥＰＧ：Electronic Program Guide）を取得し（ステップＳ５）、該取得したＥＰＧを基に、現在視聴している番組放送の終了時刻を取得し、番組放送を終了時刻まで視聴するために必要な放送時間を計算する（ステップＳ６）。
【００５８】
そして、制御部（６）は、上記計算した放送時間を基に、番組放送を終了時刻まで視聴するために必要な電力量を推定する。なお、電力量の推定方法は、特に限定するものではなく、あらゆる方法を適用して電力量を推定するように構築することは可能である。
【００５９】
次に、制御部（６）は、端末状態制御部（１）が計測した電力残量と、番組放送を終了時刻まで視聴するために必要な電力量と、を比較し、端末状態制御部（１）が計測した電力残量が、番組放送を終了時刻まで視聴するために必要な電力量を満たしているか否かを判断する（ステップＳ７）。
【００６０】
制御部（６）は、端末状態制御部（１）が計測した電力残量が、番組放送を終了時刻まで視聴するために必要な電力量を満たしていると判断した場合は（ステップＳ７／問題なし）、制御部（６）は、番組放送の視聴を継続するように制御することになる（ステップＳ８）。
【００６１】
また、制御部（６）は、端末状態制御部（１）が計測した電力残量が、番組放送を終了時刻まで視聴するために必要な電力量を満たしていないと判断した場合は（ステップＳ７／不足）、制御部（６）は、アラーム等を表示部（５）に表示し、通信端末装置の利用者に充電要求を促すことになる（図３のステップＳ９）。
【００６２】
次に、制御部（６）は、通信端末装置への充電が行われているか否かを判断し（ステップＳ１０）、通信端末装置への充電が行われていると判断した場合は（ステップＳ１０／あり）、処理を終了する（図４のステップＳ１６）。
【００６３】
また、制御部（６）は、通信端末装置への充電が行われていないと判断した場合は（ステップＳ１０／なし）、制御部（６）は、利用者の操作、もしくは、利用者が予め通信端末装置を操作して記憶部（８）に設定しておいた設定内容（１１）に従い、視聴対象となる番組放送の終了時刻までの視聴を可能とするように通信端末装置の電力抑制を行うことになる（図３のＡ）。
【００６４】
＜図３の電力抑制：Ａの処理＞
次に、図３に示す電力抑制：Ａについて詳細に説明する。
【００６５】
まず、制御部（６）は、『ケース１』を実施し（ステップＳ１１）、端末状態制御部（１）が計測した電力残量が、番組放送を終了時刻まで視聴するために必要な電力量を満たしているか否かを判断する（ステップＳ１２）。
【００６６】
制御部（６）は、端末状態制御部（１）が計測した電力残量が、番組放送を終了時刻まで視聴するために必要な電力量を満たしていると判断した場合は（ステップＳ１２／問題なし）、処理を終了する（図４のステップＳ１６）。
【００６７】
また、制御部（６）は、端末状態制御部（１）が計測した電力残量が、番組放送を終了時刻まで視聴するために必要な電力量を満たしていないと判断した場合は（ステップＳ１２／不足）、制御部（６）は、『ケース２』を実施する（ステップＳ１３）。
【００６８】
そして、制御部（６）は、端末状態制御部（１）が計測した電力残量が、番組放送を終了時刻まで視聴するために必要な電力量を満たしているか否かを判断し（ステップＳ１４）、端末状態制御部（１）が計測した電力残量が、番組放送を終了時刻まで視聴するために必要な電力量を満たしていると判断した場合は（ステップＳ１４／問題なし）、処理を終了する（図４のステップＳ１６）。
【００６９】
また、制御部（６）は、端末状態制御部（１）が計測した電力残量が、番組放送を終了時刻まで視聴するために必要な電力量を満たしていないと判断した場合は（ステップＳ１４／不足）、制御部（６）は、警告等を表示部（５）に表示し、視聴対象となる番組放送の終了時刻までの視聴が不可能である旨を通知し（図４のステップＳ１５）、処理を終了する（ステップＳ１６）。
【００７０】
＜具体例を用いた図３の電力抑制：Ａの処理＞
次に、図５に示す具体例を用いて図３に示す電力制御：Ａの処理について詳細に説明する。
【００７１】
なお、以下の具体例では、『ケース１』として、表示部（５）のバックライト照度制御を行い、『ケース２』として、携帯電話網通信制御部（３）の電源制御を行う場合について説明する。
【００７２】
＜ケース１＞
表示部（５）が液晶ディスプレイ（ＬＣＤ）等の場合には、制御部（６）は、バックライト用の照度を落とすように表示部（５）を制御する。なお、照度を数段階で制御可能な表示部（５）の場合には、制御部（６）は、端末状態制御部（１）が計測した電力残量が番組放送を終了時刻まで視聴するために必要となる電力量を満たしていない不足電力量に応じて除々に照度を落とすように表示部（５）を制御することになる。
【００７３】
＜ケース２＞
制御部（６）は、『ケース１』において可能な限り、表示部（５）の照度を落としても、端末状態制御部（１）が計測した電力残量が、番組放送を終了時刻まで視聴するために必要となる電力量を満たしていないと判断した場合には、制御部（６）は、携帯電話通信網の電界強度を確認する。そして、制御部（６）は、該確認した電界強度が所定の第１の閾値以下（微弱状態）、もしくは、該確認した電界強度が所定の第２の閾値以下（圏外状態）である場合には、携帯電話網通信制御部（３）の電源ＯＦＦ制御を行い、携帯電話網通信制御部（３）の制御を停止させる。
【００７４】
但し、制御部（６）は、一定間隔で、携帯電話網通信制御部（３）の電源ＯＮ制御を行い、携帯電話通信網の電界強度を定期的に確認する。なお、携帯電話網制御部（３）の電源ＯＮ制御を一定間隔で行い、携帯電話通信網へ接続し、メール／留守番電話サービスへ接続するようにすることも可能である。
【００７５】
なお、制御部（６）は、利用者の操作、もしくは、利用者が予め通信端末装置を操作して記憶部（８）に設定しておいた設定内容（１１）に従い、携帯電話網通信制御部（３）の電源ＯＦＦ制御を維持し、通信を一切行わないように制御することも可能である。
【００７６】
制御部（６）は、『ケース２』を実施しても、端末状態制御部（１）が計測した電力残量が、番組放送を終了時刻まで視聴するために必要となる電力量を満たしていないと判断した場合には、制御部（６）は、警告等を表示部（５）に表示し、視聴対象となる番組放送の終了時刻までの視聴が不可能である旨を通知する。
【００７７】
このように、本実施形態の通信端末装置は、端末状態制御部（１）が計測した電力残量が、番組放送を終了時刻まで視聴するために必要な電力量を満たしているか否かを判断し、端末状態制御部（１）が計測した電力残量が、番組放送を終了時刻まで視聴するために必要な電力量を満たしていないと判断した場合には、視聴対象となる番組放送の終了時刻までの視聴を可能とするように通信端末装置の電力抑制を行う。これにより、通信端末装置は、視聴対象となる番組放送の終了時刻までの視聴を行うことが可能となる。
【００７８】
（第２の実施形態）
次に、第２の実施形態について説明する。
【００７９】
第２の実施形態における通信端末装置は、通信端末装置の電力抑制を行っても、端末状態制御部（１）が計測した電力残量が、視聴操作を行った番組放送を終了時刻まで視聴するために必要な電力量を満たしていないと判断した場合は、端末状態制御部（１）が計測した電力残量が、視聴操作を行った番組放送を終了時刻まで録画するために必要な電力量を満たしているか否かを判断し、端末状態制御部（１）が計測した電力残量が、視聴操作を行った番組放送を終了時刻まで録画するために必要な電力量を満たしていると判断した場合には、視聴操作を行った番組放送の録画処理を行うことを特徴とするものである。
【００８０】
これにより、通信端末装置の電力抑制を行っても、端末状態制御部（１）が計測した電力残量が、視聴操作を行った番組放送を終了時刻まで視聴するために必要な電力量を満たしていない場合でも、視聴操作を行った番組放送の録画処理を行うことが可能となり、録画処理を行った番組放送を後で視聴することが可能となる。以下、図６を参照しながら、第２の実施形態の通信端末装置について詳細に説明する。
【００８１】
＜通信端末装置における電力制御方法＞
まず、図６を参照しながら、第２の実施形態における通信端末装置の電力制御について説明する。
【００８２】
第２の実施形態における通信端末装置の電力制御は、第１の実施形態における通信端末装置のステップＳ１５までの処理とほぼ同様な電力制御を行い、以下の処理が異なることになる。
【００８３】
制御部（６）は、警告等を表示部（５）に表示し、視聴対象となる番組放送の終了時刻までの視聴が不可能である旨を通知した後に（ステップ１５）、端末状態制御部（１）が計測した電力残量が、視聴操作を行った番組放送を終了時刻まで録画するために必要な電力量を満たしているか否かを判断する（ステップＳ２０）。
【００８４】
制御部（６）は、端末状態制御部（１）が計測した電力残量が、視聴操作を行った番組放送を終了時刻まで録画するために必要な電力量を満たしていないと判断した場合は（ステップＳ２０／不足）、処理を終了する（ステップＳ１６）。
【００８５】
また、制御部（６）は、端末状態制御部（１）が計測した電力残量が、視聴操作を行った番組放送を終了時刻まで録画するために必要な電力量を満たしていると判断した場合は（ステップＳ２０／問題なし）、制御部（６）は、視聴対象となる番組放送の録画処理を行うか否かを表示部（５）に表示し、操作者に対し、録画処理の問い合わせを行う（ステップＳ２１）。
【００８６】
制御部（６）は、視聴対象となる番組放送の録画処理要求がないと判断した場合は（ステップＳ２２／なし）、処理を終了する（ステップＳ１６）。
【００８７】
また、制御部（６）は、視聴対象となる番組放送の録画処理要求があると判断した場合は（ステップＳ２２／あり）、制御部（６）は、視聴対象となる番組放送の録画処理を行うように制御する（ステップＳ２３、２４）。そして、番組放送の録画処理が終了した場合に、処理を終了することになる（ステップＳ１６）。なお、図６では、番組放送の録画は、外部記憶部（９）に記録することにしたが、記憶部（８）に記録するようにすることも可能である。
【００８８】
このように、第２の実施形態における通信端末装置は、通信端末装置の電力抑制を行っても、端末状態制御部（１）が計測した電力残量が、視聴操作を行った番組放送を終了時刻まで視聴するために必要な電力量を満たしていないと判断した場合は、端末状態制御部（１）が計測した電力残量が、視聴操作を行った番組放送を終了時刻まで録画するために必要な電力量を満たしているか否かを判断し、端末状態制御部（１）が計測した電力残量が、視聴操作を行った番組放送を終了時刻まで録画するために必要な電力量を満たしていると判断した場合には、視聴操作を行った番組放送の録画処理を行う。
【００８９】
これにより、通信端末装置の電力抑制を行っても、端末状態制御部（１）が計測した電力残量が、視聴操作を行った番組放送を終了時刻まで視聴するために必要な電力量を満たしていない場合でも、視聴操作を行った番組放送の録画処理を行うことが可能となり、録画処理を行った番組放送を後で視聴することが可能となる。
【００９０】
なお、上述した図６の処理では、端末状態制御部（１）が計測した電力残量が、視聴操作を行った番組放送を終了時刻まで録画するために必要な電力量を満たしていると判断した場合は（ステップＳ２０／問題なし）、録画処理の問い合わせを行い（ステップＳ２１）、視聴対象となる番組放送の録画処理要求があると判断した場合に（ステップＳ２２／あり）、視聴対象となる番組放送の録画処理を行うように制御することにした（ステップＳ２３、２４）が、図６に示すステップＳ２１、２２の処理を省略し、図７に示すように、端末状態制御部（１）が計測した電力残量が、視聴操作を行った番組放送を終了時刻まで録画するために必要な電力量を満たしていると判断した場合は（ステップＳ３０／問題なし）、視聴対象となる番組放送の録画処理を自動的に行うように制御することも可能である（ステップＳ３１、３２）。これにより、通信端末装置は、自動的に録画処理を行うように構築することが可能となる。
【００９１】
（第３の実施形態）
次に、第３の実施形態について説明する。
【００９２】
第１の実施形態における通信端末装置は、番組放送の視聴操作を行った場合に、その視聴操作を行った番組放送の開始時刻から終了時刻までの時間を計算し、視聴操作を行った番組放送を終了時刻まで視聴するために必要な放送時間を計算することにした。
【００９３】
第３の実施形態における通信端末装置は、放送が開始されていない番組放送の視聴予約操作を行った場合に、その視聴予約操作を行った番組放送が開始されるまでの時間『Ｔ１』と、その視聴予約操作を行った番組放送の開始時刻から終了時刻までの時間『Ｔ２』を計算し、その視聴予約操作を行った番組放送を終了時刻まで視聴するために必要な放送時間『Ｔ１＋Ｔ２』を計算することを特徴とする。これにより、第１の実施形態と同様に、通信端末装置は、視聴予約対象となる番組放送の終了時刻までの視聴を行うことが可能となる。以下、第３の実施形態における通信端末装置について詳細に説明する。
【００９４】
＜通信端末装置における電力制御方法＞
まず、第３の実施形態における通信端末装置の電力制御について説明する。なお、第３の実施形態では、第１、第２の実施形態の付加機能として、放送が開始されていない番組放送の視聴予約操作時の動作について説明する。
【００９５】
まず、通信端末装置の利用者が通信端末装置を操作し、ＥＰＧを使用して放送が開始されていない番組放送の視聴予約操作を行った場合（ステップＡ１）、制御部（６）は、記憶部（８）から制御プログラム（１０）を読み出し、該読み出した制御プログラム（１０）をメインメモリ（７）に格納し、そのメインメモリ（７）に格納した制御プログラム（１０）を用いて一連の処理を行うことになる。
【００９６】
まず、制御部（６）は、端末状態制御部（１）を制御し、電源供給部（２）の電力残量を計測する（ステップＡ２）。
【００９７】
次に、制御部（６）は、視聴予約操作された番組放送が開始されるまでの時間、および、視聴予約操作された番組放送の開始時刻から終了時刻までの時間を計算し、その視聴予約操作された番組放送を終了時刻まで視聴するために必要な放送時間を計算する（ステップＡ３）。
【００９８】
そして、制御部（６）は、上記計算した放送時間を基に、視聴予約操作された番組放送を終了時刻まで視聴するために必要な電力量を推定する。なお、電力量の推定方法は、特に限定するものではなく、あらゆる方法を適用して電力量を推定するように構築することは可能である。
【００９９】
次に、制御部（６）は、端末状態制御部（１）が計測した電力残量が、視聴予約操作された番組放送を終了時刻まで視聴するために必要な電力量を満たしているか否かを判断し（ステップＡ４）、制御部（６）は、端末状態制御部（１）が計測した電力残量が、視聴予約操作された番組放送を終了時刻まで視聴するために必要な電力量を満たしていると判断した場合は（ステップＡ４／問題なし）、制御部（６）は、視聴予約操作された番組放送の視聴を行うように制御することになる（ステップＡ５）。
【０１００】
また、制御部（６）は、端末状態制御部（１）が計測した電力残量が、視聴予約操作された番組放送を終了時刻まで視聴するために必要な電力量を満たしていないと判断した場合は（ステップＡ４／不足）、制御部（６）は、アラーム等を表示部（５）に表示し、通信端末装置の利用者に充電要求を促すことになる（図３のステップＳ９）。なお、以下の処理は、図３、図４に示す第１の実施形態とほぼ同様の処理を行うことになる。
【０１０１】
このように、第３の実施形態の通信端末装置は、放送が開始されていない番組放送の視聴予約操作を行った場合に、その視聴予約操作を行った番組放送が開始されるまでの時間と、その視聴予約操作を行った番組放送の開始時刻から終了時刻までの時間を計算し、その視聴予約操作を行った番組放送を終了時刻まで視聴するために必要な放送時間を計算する。これにより、第１の実施形態と同様に、通信端末装置は、視聴予約対象となる番組放送の終了時刻までの視聴を行うことが可能となる。
【０１０２】
なお、第３の実施形態の通信端末装置は、端末状態制御部（１）が計測した電力残量が、視聴予約操作された番組放送を終了時刻まで視聴するために必要な電力量を満たしていると判断した場合でも、その後の携帯電話通信網への接続、および、通信端末装置の利用状況により、通信端末装置の電力残量が大きく変化することがあるため、通信端末装置は、一定間隔で電源供給部（２）の電力残量を測定するように制御し、視聴予約操作された番組放送を終了時刻まで視認するために必要な電力量を満たしているか否かの判断を定期的に行うように構築することが好ましい。なお、第１、第２の実施形態の通信端末装置でも、上述した判定処理を定期的に行うように構築することが好ましい。
【０１０３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０４】
例えば、上述した実施形態においては、通信端末装置の電力抑制の具体例として、『ケース１』では、表示部（５）のバックライト照度制御を行い、『ケース２』では、携帯電話網通信制御部（３）の電源制御を行う場合について説明したが、通信端末装置の電力抑制を行うものであれば、あらゆる機能の電力抑制を行うことが可能であり、例えば、視聴対象となる番組放送中に音声のみを出力するように制御したり、また、視聴対象となる番組放送中に映像のみを出力するように制御したり、また、視聴対象となる番組放送中の映像の画質を低減するように制御したりすることも可能である。
【０１０５】
また、通信端末装置の電力抑制としては、端末状態制御部（１）が計測した電力残量に応じて、上述した１つまたは複数の電力抑制を行うようにすることも可能である。なお、複数の電力抑制を行う場合には、通信端末装置の利用者の使用に支障が生じることが少ない機能の電力抑制を優先的に行うように構築することが好ましい。また、複数の電力抑制の順番は、利用者が任意に設定し、設定内容（１１）として、記憶部（８）に記録しておくことも可能である。
【０１０６】
また、上述した実施形態の通信端末装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した通信端末装置に読み込ませることで、上述した制御動作を、通信端末装置において実行させることも可能である。また、所定のネットワークを介して接続されている外部機器から上記プログラムを上述した通信端末装置に読み込ませることで、上述した制御動作を、通信端末装置において実行させることも可能である。
【産業上の利用可能性】
【０１０７】
本発明にかかる通信端末装置、電力制御方法及び電力制御プログラムは、携帯電話機やノートＰＣ等の省電力化を図る機器に適用可能である。
【図面の簡単な説明】
【０１０８】
【図１】本実施形態の通信端末装置の内部構成を示す図である。
【図２】第１の実施形態の通信端末装置における電力制御の処理動作を示す第１のシーケンスチャートである。
【図３】第１の実施形態の通信端末装置における電力制御の処理動作を示す第２のシーケンスチャートである。
【図４】第１の実施形態の通信端末装置における電力制御の処理動作を示す第３のシーケンスチャートである。
【図５】図３に示す電力抑制（Ａ）の具体例の処理動作を示すシーケンスチャートである。
【図６】第２の実施形態の通信端末装置における電力抑制の処理動作を示す第１のシーケンスチャートである。
【図７】第２の実施形態の通信端末装置における電力抑制の処理動作を示す第２のシーケンスチャートである。
【図８】第３の実施形態の通信端末装置における電力抑制の処理動作を示すシーケンスチャートである。
【符号の説明】
【０１０９】
１    端末状態制御部
２    電源供給部
３    携帯電話網通信制御部
４    放送波受信制御部
５    表示部
６    制御部
７    メインメモリ
８    記憶部
９    外部記憶部
１０    制御プログラム
１１    設定内容
【図１】
2008177778.tif 000003
【図２】
2008177778.tif 000004
【図３】
2008177778.tif 000005
【図４】
2008177778.tif 000006
【図５】
2008177778.tif 000007
【図６】
2008177778.tif 000008
【図７】
2008177778.tif 000009
【図８】
2008177778.tif 000010